(57)【要約】【課題】原稿画像データと転写紙との関係をディスプレイ上に表示させて、プリントアウトのイメージ（原稿画像）をユーザーに把握させるとともに変更も可能にして、ミスコピーを減らし、ミスコピーによる時間のロスを極力少なくする画像読み取り装置及びこの画像読み取り装置を備える画像形成装置を提供することにある。【解決手段】原稿を走査して原稿画像データを読み取るスキャナ手段１２と、前記原稿画像データを保存する読み取り画像保存手段２７と、該読み取り画像保存手段２７に保存された前記原稿画像データに基づく原稿画像を表示する表示手段３３と、を有する画像読み取り装置において、前記表示手段３３は、前記原稿画像と重ねて、転写紙のサイズ及び方向を図形として示す転写紙イメージを表示可能である原稿読み取り装置。【選択図】図２
2009224906.tif 000002
【特許請求の範囲】
【請求項１】
原稿を走査して原稿画像データを読み取るスキャナ手段と、前記原稿画像データを保存する読み取り画像保存手段と、該読み取り画像保存手段に保存された前記原稿画像データに基づく原稿画像を表示する表示手段と、を有する画像読み取り装置において、
前記表示手段は、前記原稿画像と重ねて、転写紙のサイズ及び方向を図形として示す転写紙イメージを表示可能であることを特徴とする画像読み取り装置。
【請求項２】
前記転写紙が不定形の場合、前記表示手段は、前記スキャナ手段によって読み取られた前記転写紙イメージを前記原稿画像に重ねて表示可能であることを特徴とする請求項１記載の画像読み取り装置。
【請求項３】
前記原稿画像を回転、移動及び変倍して前記原稿画像のサイズ及び方向を前記転写紙イメージと合わせる変換を行なう変換部を備えたことを特徴とする請求項１又は２記載の画像読み取り装置。
【請求項４】
前記原稿画像及び前記転写紙イメージを前記表示手段に表示し、前記原稿画像を変換する処理を行なうか否かを選択するための選択部を備えたことを特徴とする請求項１乃至３のいずれか１項記載の画像読み取り装置。
【請求項５】
請求項１乃至４のいずれか１項記載の画像読み取り装置を備えることを特徴とする画像形成装置。
【発明の詳細な説明】
【技術分野】
【０００１】
本発明は、スキャン機能を有し、原稿画像を読み取る画像読み取り装置、及びこの画像読み取り装置を備える画像形成装置に関するものである。
【背景技術】
【０００２】
コンタクトガラス上に載置された原稿の画像（原稿画像）を読み取る画像読み取り装置を有する画像形成装置においては、本等のように両面に印刷されて綴じられている原稿（本原稿）の見開き部分を読み取る場合、見開いた本原稿の左側ページを読み取った後、右側のページを読み取るために、左側のページを読み取った後、本原稿を１８０°回転させてコンタクトガラスに再載置する必要がある。
この場合、読み取った原稿をそのままコピーして同じ方向にプリントアウトすると、このプリントアウトされた用紙の画像の方向が１ページ毎に逆さまになった状態となるため、ユーザーはプリントアウトされた用紙の画像の方向が同じ方向になるように用紙を揃えなければならず、非常に手間がかかるものとなっていた。
【０００３】
そこで、見開いた本原稿の左右のページを判断し一方のページの読み取り画像を１８０°回転させた画像データとして出力することによって上記の不具合を解消する技術が知られている。
かかる技術において、実際に、本原稿を読み取る際には、本原稿をコンタクトガラス上に載置する時の向きが、単純に、１８０°異なった状態で混在する時には左右のページを判断し、いずれかの時のみ読み取った原稿画像を１８０°回転させればすむ。
しかし、原稿が置き難かったり、途中でユーザーが交代したりして、不規則に本原稿を置く向きが変化し、初期の載置位置に対して９０°あるいは２７０°回転させた向きが混在することがある。かかる場合には、前述のように原稿画像を単純に１８０°回転させるだけでは正しい向きでのプリントアウトを行なえず、ミスコピーが増え、ミスコピーによる時間のロスが発生してしまうという問題がある。
【０００４】
かかる問題を解決するために、本出願人は、その未決の先願で、原稿画像を読み取るスキャナ手段と、このスキャナ手段に読み取られた原稿画像を保存する読み取り画像保存手段と、この読み取り画像保存手段に保存された原稿画像を所定の回転角度に回転させて回転画像として変換する変換手段と、を備え、読み取り画像保存手段に保存された原稿画像及び変換手段によって変換された回転画像を表示する表示手段を備えている画像読み取り装置を提案している。
【発明の開示】
【発明が解決しようとする課題】
【０００５】
しかしながら、上記の未決の先願に記載された技術では、オリジナルイメージデータ（原稿画像データ）をユーザーの希望する方向に回転させ、ミスコピーを減らし、ミスコピーによる時間のロスを極力少なくすることはできる。
ところが、この技術には、転写紙との位置関係については述べられておらず、とくに手差しモードなどで不定形の転写紙が使用される場合、転写紙から画像がはみ出たりすることが考えられる。
そこで、本発明の目的は、上述した実情を考慮して、原稿画像データと転写紙との関係をディスプレイ上に表示させて、プリントアウトのイメージ（原稿画像）をユーザーに把握させるとともに変更も可能にして、ミスコピーを減らし、ミスコピーによる時間のロスを極力少なくする画像読み取り装置及びこの画像読み取り装置を備える画像形成装置を提供することにある。
【課題を解決するための手段】
【０００６】
上記の課題を解決するために、請求項１に記載の発明は、原稿を走査して原稿画像データを読み取るスキャナ手段と、前記原稿画像データを保存する読み取り画像保存手段と、該読み取り画像保存手段に保存された前記原稿画像データに基づく原稿画像を表示する表示手段と、を有する画像読み取り装置において、前記表示手段は、前記原稿画像と重ねて、転写紙のサイズ及び方向を図形として示す転写紙イメージを表示可能であることを特徴とする画像読み取り装置を特徴とする。
また、請求項２に記載の発明は、前記転写紙が不定形の場合、前記表示手段は、前記スキャナ手段によって読み取られた前記転写紙イメージを前記原稿画像に重ねて表示可能であることを特徴とする請求項１記載の画像読み取り装置を特徴とする。
【０００７】
また、請求項３に記載の発明は、前記原稿画像を回転、移動及び変倍して前記原稿画像のサイズ及び方向を前記転写紙イメージと合わせる変換を行なう変換部を備えたことを特徴とする請求項１又は２記載の画像読み取り装置を特徴とする。
また、請求項４に記載の発明は、前記原稿画像及び前記転写紙イメージを前記表示手段に表示し、前記原稿画像を変換する処理を行なうか否かを選択するための選択部を備えたことを特徴とする請求項１乃至３のいずれか１項記載の画像読み取り装置を特徴とする。
また、請求項５に記載の発明は、請求項１乃至４のいずれか１項記載の画像読み取り装置を備えることを特徴とする画像形成装置を特徴とする。
【発明の効果】
【０００８】
本発明によれば、プリントアウト前の原稿画像と転写紙のイメージを重ねてディスプレイ上に表示してそれをユーザーが確認して修正操作を行なうので、ミスコピーを減らし、ミスコピーによる時間のロスを極力少なくすることが可能である。
また、転写紙が不定形の場合、転写紙を読み取ってそのレイアウトを原稿画像と重ねて表示させるので、不定形の転写紙の場合でも、ミスコピーを減らし、ミスコピーによる時間のロスを極力少なくすることが可能である。さらに、ユーザーが必要な時のみ上記の動作を行なうように設定できるので、不必要な時間のロスをなくすことが可能である。
【発明を実施するための最良の形態】
【０００９】
以下、図面を参照して、本発明の実施の形態を詳細に説明する。図１は本発明による転写装置を搭載し得る画像形成装置であるカラー複写機を示す概略図である。図２は図１のカラー複写機の要部を示すブロック図である。
図１及び図２を参照して説明すると、このカラー複写機（画像形成装置）１０は複数色のトナーによるカラー画像の作成が可能である。カラー複写機１０には、便宜上この部分として示している、ユーザーが操作する操作部１１、原稿画像を読み取るスキャナ（画像読み取り装置）１２、操作部１１からの入力信号に基づいてカラー複写機１０全体を制御し、各部を作動させる主制御部７、及びスキャナ１２が読み取った原稿画像を形成する画像形成部８を備えている。
【００１０】
画像形成部８はスキャナ１２からの画像情報（画像データ）を光情報として像担持体である感光体１４に書き込む書き込み部１３、この書き込み部１３によって感光体１４の表面に形成された静電潜像に、シアン、マゼンタ、イエロー及びブラックトナーを供給する現像部１５、感光体１４上の複数色のトナー像を順次転写されて重ね合わされる中間転写体１６を含んでいる。
さらに、画像形成部８には、中間転写体１６上に重ね合わされた複数色のトナー像を転写紙Ｐに転写する転写部１９、給紙トレイ１から転写紙Ｐを１枚ずつ転写部１９へと給紙する給紙部１７、及び転写紙Ｐ上のトナー像を定着させる定着部１８を備え、これらの各部によって原稿画像に対応する画像が転写紙Ｐ上に印刷されるようになっている。
【００１１】
スキャナ１２は、このスキャナ１２に設けられた操作部１１からの入力信号に基づいてスキャナ１２全体を制御する作動制御部（表示制御手段）２１、原稿が載置されるコンタクトレンズ２３、このコンタクトレンズ２３に載置された原稿の原稿画像を読み取る読み取り部（スキャナ手段）２５、及びこの読み取り部２５に読み取られた原稿画像を（原稿画像データ）を保存する読み取り画像メモリ（読み取り画像保存手段）２７を備えている。
また、スキャナ１２は、この読み取り画像メモリ２７に保存された原稿画像を回転させてなる回転画像（回転画像データ）を保存する回転画像メモリ（回転イメージ保存手段）２９、コンタクトレンズ２３に設けられ、かつこのコンタクトレンズ２３に載置された原稿のサイズを検知するサイズ検知センサ（サイズ検知手段）３１、及び読み取り部２５が読み取った画像のうち、画像形成部８に形成させる画像（画像データ）を画像形成部８に出力する出力部３２を備えている。
【００１２】
読み取り部２５は、サイズ検知センサ３１が検知した原稿の範囲全体、すなわち、コンタクトレンズ２３上のうち、原稿のある部分全体（原稿全体）を読み取るようになっており、この読み取り部２５によって読み取られた原稿画像データは読み取り画像メモリ２７に保存される。
操作部１１には、使用者に対するメッセージ、装置の状態を示すメッセージ、操作ガイダンス又は読み取り画像メモリ２７及び回転画像メモリ２９に保存された画像データに基づく原稿画像（画像イメージ）を表示するＬＣＤ等からなるディスプレイである表示部（表示手段）３３、この表示部３３に原稿画像を表示させるか否かを使用者に選択させるためのタッチパネル等の選択スイッチ（表示選択部）３５が設けられている。
本実施の形態では、使用者が選択可能なモードとして、通常の原稿（シート状の原稿）を読み取る通常原稿モード、綴じられた本の原稿を読み取るのみの本原稿モード、及びこの本原稿モードにおいて、原稿画像を事前に表示する表示モードの３つのモードが用意されている。
使用者は選択スイッチ３５によってこれらのいずれかのモードを選択できるようになっている。本原稿モード時においては、偶数ページは、読み取り部２５によって読み取られた原稿画像を、後述する変換部３７によって１８０°回転された回転画像として出力部３２を介して画像形成部８に出力し、この画像形成部８によってコピー動作が行なわれるようになっている。
【００１３】
作動制御部２１は、読み取り画像メモリ２７に保存された原稿画像を所定の回転角度に回転させた回転画像として変換する変換部３７と読み取り部２５による読み取り動作の回数（ページ数）をカウントするカウンタ４０を備えている。
変換部３７は、読み取り部２５によって読み取られた原稿画像を、操作部１１からの操作信号に応じた回転角度（言い換えれば、使用者によって操作部１１に入力された指定回転角度）、例えば、９０°、１８０°、２７０°等の回転角度に回転させた回転画像として変換する。
この変換部３７で変換された回転画像は、回転画像メモリ２９に保存されるようになっている。なお、原稿画像の回転角度としては、上述した数値に限定されず、例えば、操作部１１を操作することにより、その回転角度を適宜設定可能である。
【００１４】
図３は本発明の要部を説明する概略図である。図３（ａ）において、図１及び図２に示した画像形成装置１０で、原稿画像及び転写紙ディスプレイ有りを選択すると、まず、全原稿を読み取る動作が行なわれ、表示部３３であるディスプレイ３３上に全原稿が表示される。
次に、図３（ｂ）において、転写紙に関して、自動用紙選択が選択されていた場合、ディスプレイ３３には、原稿画像に重ねて転写紙のイメージが表示される。
次いで、ユーザーはディスプレイ３３にてプリントアウト画像を把握し、原稿画像の回転や場所の移動、変倍を行ないたい場合は原稿画像の修正を行ない、修正後にプリントアウトさせる。
【００１５】
図４は図３の動作も含む本発明の動作の流れを説明するフローチャートである。図１乃至図４を参照して説明する、まず、上述したように、原稿画像及び転写紙イメージの表示がディスプレイ３３上に有りかどうかを判断する（Ｓ１）。次に、全原稿を読み取りかつ保存する（Ｓ２）。次いで、自動用紙選択が選択されているかどうかを判断する（Ｓ３）。
ここで、自動用紙選択が選択されているならば（Ｓ３でＹｅｓ）、画像形成装置１０側で自動用紙選択を行ない（Ｓ４）、転写紙レイアウト及び原稿画像をディスプレイ３３上に表示する（Ｓ５）。次に、原稿画像に修正が必要かどうかを判断し（Ｓ６）、必要ないならば、その原稿画像をプリントアウトする。
【００１６】
修正が必要ならば、原稿画像の回転や場所の移動、変倍を行ないたい場合に原稿画像の修正を行なって、その原稿画像を修正して（Ｓ７）、再度、ステップ（Ｓ６）に戻して判断を行なう。
ステップ（Ｓ３）で自動用紙選択でないならば、フローチャート上のＢで、指定用紙選択かどうかを判断し（Ｓ８）、指定用紙設定が選択されていた場合（Ｓ８でＹｅｓ）、ディスプレイ３３上に、指定された用紙（Ａ４、Ａ３等）のイメージが原稿画像に重ねて表示される。
【００１７】
ステップ（Ｓ８）で指定用紙設定が選択されていない場合、フローチャート上のＣの部分のように、自動用紙選択も指定用紙設定も選択されていないので、手差し』が選択されているとして、転写紙を原稿台（コンタクトレンズ２３）にセットするようにメッセージ表示し（Ｓ９）、転写紙が進行方向にセットされると、転写紙をスキャンし、保存を行なう（Ｓ１０）。
その後は、上述したように、ディスプレイ３３上で、原稿画像に重ねて、転写紙のイメージが表示される。ユーザーはディスプレイ３３にてプリントアウト画像を把握し、原稿画像の回転や場所の移動を行ないたい場合は原稿画像の修正を行ない、修正後にプリントアウトさせる。
上記操作で転写紙が不定形の場合、転写紙を読み取ってそのレイアウトを原稿画像と重ねて表示させるので、不定形の転写紙の場合でも、ミスコピーを減らし、ミスコピーによる時間のロスを極力少なくすることが可能である。
【００１８】
ステップ（Ｓ１）において、ユーザーが、原稿画像及び転写紙イメージの表示がディスプレイ３３上に有りを選択しなかった場合は、フローチャート上のＤにおけるように、通常のごとく、読み取り及びコピー動作（コピー通常動作）を行なう（Ｓ１１）。
上述した装置によって、ミスコピーを減らし、ミスコピーによる時間のロスを防ぐことは可能であるが、ユーザーが原稿画像を確認するという操作が増えてしまう。そこで、本モードを実行するかどうかをユーザーが選択できるようにし、不必要な時間のロスをなくす。
このように、上述した機能を行なうかどうかをユーザーが選択可能であり、ユーザーが必要な時のみ、上述した動作を行なうように設定できるので、不必要な時間のロスをなくすことが可能である。
【図面の簡単な説明】
【００１９】
【図１】本発明による転写装置を搭載し得る画像形成装置であるカラー複写機を示す概略図である。
【図２】図１のカラー複写機の要部を示すブロック図である。
【図３】本発明の要部を説明する概略図である。
【図４】図３の動作も含む本発明の動作の流れを説明するフローチャートである。
【符号の説明】
【００２０】
７  主制御部、８  画像形成部、１０  画像形成装置（カラー複写機）、１１  操作部、１２  スキャナ装置、２１  作動制御部、２５  読み取り部、２７  オリジナルイメージ保存装置（読み取り画像メモリ）、２９  回転イメージ保存装置（回転画像メモリ）、３１  サイズ検知センサ、３３  ディスプレイ（表示部）、３５  選択スイッチ、３７  変換部、４０  カウンタ
【図１】
2009224906.tif 000003
【図２】
2009224906.tif 000004
【図３】
2009224906.tif 000005
【図４】
2009224906.tif 000006